(57)【要約】      （修正有）【課題】可動端子と固定端子の接触安定を図った同軸コネクタの提供。【解決手段】同軸コネクタは、本体内に固定端子２を定位し、且つ該本体の表面は突出して穿孔を具えた対応接続部１１を形成し、且つ該穿孔には同軸端子を挿入する。また該本体の一側の差込槽内には該固定端子の差込部２１が形成され、該差込部前側には接触部が伸び、該本体底部の基台に結合し、可動端子を定位する。更に該基台表面には弾性空間が形成され、該可動端子の基部前側は弾性空間内に位置する接触部が伸び、及び該接触部に隣接する側辺には下向きに弾性腕が伸びる。該同軸端子が該可動端子の該接触部を下向きに押して位置移動させると、弾性腕の支持により、変形量が小さくなる作用を具え、該同軸端子が離れると、該弾性腕の弾性復位力によって該可動端子の接触部が確実に復位し、該固定端子の該接触部と相互に接続し、弾性回復力効果を具える。【選択図】図２
0003142192.tif 000002
【実用新案登録請求の範囲】
【請求項１】
本体内に固定端子を定位し、該本体の底部に結合する基台には可動端子を定位する同軸コネクタにおいて、そのうち、
該本体は、表面が突出して穿孔を具えた対応接続部を形成し、且つ該穿孔には同軸端子を挿入し、該本体の底部に該穿孔と連通する納置空間を形成し、該本体の一側に差込槽を設置し、
該固定端子は、該本体の該差込槽内に差し込む差込部を具え、該差込部の前側は該納置空間に位置する該接触部が延び、
該基台の表面には弾性空間を形成し、
該可動端子は一基部を具え、その基部前側は該弾性空間内位置に該接触部が伸び、該接触部に隣接する側辺には少なくとも一個以上の弾性腕が伸びることを特徴とする同軸コネクタ。
【請求項２】
請求項１記載の同軸コネクタにおいて、前記本体は、その左右両側に掛合部が下向きに伸び、また該基台の左右両側には掛合部に該掛合する掛合槽を設置することを特徴とする同軸コネクタ。
【請求項３】
請求項１記載の同軸コネクタにおいて、前記固定端子は、その差込部後側に下向きに連続折曲した嵌合部を形成し、且つその嵌合部は該本体側辺に嵌合接続することを特徴とする同軸コネクタ。
【請求項４】
請求項３記載の同軸コネクタにおいて、前記固定端子の該嵌合部は、その末端を予め設置した回路板に電気連接する溶接部を形成することを特徴とする同軸コネクタ。
【請求項５】
請求項１記載の同軸コネクタにおいて、前記基台は、該弾性空間に隣接する側辺に複数の定位槽を形成し、また該可動端子の基部の側辺は下向きに折曲して該定位槽に差し込む差込部を形成することを特徴とする同軸コネクタ。
【請求項６】
請求項１記載の同軸コネクタにおいて、前記可動端子は、該基部の後側に予め電気連接する溶接部を設置することを特徴とする同軸コネクタ。
【請求項７】
請求項１記載の同軸コネクタにおいて、前記本体と該基台は、その外縁にシールド筐体で被覆し、且つそのシールド筐体の表面は突出して中空の円柱体を形成し、その円柱体の中空部には該本体に対応して収納する通孔を形成することを特徴とする同軸コネクタ。
【請求項８】
請求項７記載の同軸コネクタにおいて、前記シールド筐体は、その側辺に下向きに折曲した被覆部を形成し、その被覆部の間が該本体と該基台を設置する収納空間を形成することを特徴とする同軸コネクタ。
【請求項９】
請求項１記載の同軸コネクタにおいて、前記可動端子は、該接触部が力を受けて解除された後、該弾性腕の弾性復位力により、該可動端子の該接触部と該固定端子の該接触部が確実に接触することを特徴とする同軸コネクタ。
【考案の詳細な説明】
【技術分野】
【０００１】
本考案は、同軸コネクタに関するもので、特に可動端子の接触部側辺に下向きの少なくとも一個以上の弾性腕が伸び、その弾性腕の構造設計により、可動端子の接触部全体に於いて弾性変形力が向上し、確実に復位し、変形量が小さく、弾性回復力が良好な効果を具えるものである。
【背景技術】
【０００２】
電子部品の小型化、軽量及び高密度のパッケージが進歩したことにより、多くの携帯式電子製品も更に軽薄短小へと発展している。相互形成の下でそれらを繋げるコネクタ、例として信号回路機能を転換する表面タッチ式の同軸コネクタも小型化している。図６に示すのは、公知の同軸コネクタの側面断面図であり、図に示すとおり、同軸端子Ｄを台座体Ａの穿孔Ａ１に挿入した時、その同軸端子Ｄ末端は第一端子Ｂの弾性腕Ｂ１を押し、第一端子Ｂの弾性腕Ｂ１を第二端子Ｃの接触腕Ｃ１から離す。これにより、同軸端子Ｄがコネクタに差し込んだ信号通知をモニタリングする。しかしながら、この種の構造は、以下の重大な欠点がある。
【０００３】
この種の設計は同軸端子Ｄを差し込んだ時、仮に力が強すぎたり、もしくは設計が悪い場合、第一端子Ｂの弾性腕Ｂ１が変形したり、切断されたりしやすく、更に長期使用すると、弾性腕Ｂ１は弾性疲労により、復位しにくくなり、第二端子の接触腕Ｃ１と相互に抵触し、更には接触不良、もしくは接触切断が起こり、使用寿命を縮め、ユーザーに操作上の問題をもたらすこととなる。
【考案の開示】
【考案が解決しようとする課題】
【０００４】
本考案の主な目的は、可動端子の接触部に隣接する側辺には下向きに伸びる少なくとも一個以上の弾性腕を形成し、同軸端子が可動端子の接触部下向きに押し下げた時、弾性腕の支持により、変形量減少減作用が形成され、また同軸端子が離れると、弾性腕の弾性復位力により可動端子の接触部を確実に復位し、固定端子の接触部と確実に相互に接触し、弾性回復力を具える。
【課題を解決するための手段】
【０００５】
請求項１の考案は、本体内に固定端子を定位し、該本体の底部に結合する基台には可動端子を定位する同軸コネクタにおいて、そのうち、
該本体は、表面が突出して穿孔を具えた対応接続部を形成し、且つ該穿孔には同軸端子を挿入し、該本体の底部に該穿孔と連通する納置空間を形成し、該本体の一側に差込槽を設置し、
該固定端子は、該本体の該差込槽内に差し込む差込部を具え、該差込部の前側は該納置空間に位置する該接触部が延び、
該基台の表面には弾性空間を形成し、
該可動端子は一基部を具え、その基部前側は該弾性空間内位置に該接触部が伸び、該接触部に隣接する側辺には少なくとも一個以上の弾性腕が伸びることを特徴とする同軸コネクタとしている。
請求項２の考案は、請求項１記載の同軸コネクタにおいて、前記本体は、その左右両側に掛合部が下向きに伸び、また該基台の左右両側には掛合部に該掛合する掛合槽を設置することを特徴とする同軸コネクタとしている。
請求項３の考案は、請求項１記載の同軸コネクタにおいて、前記固定端子は、その差込部後側に下向きに連続折曲した嵌合部を形成し、且つその嵌合部は該本体側辺に嵌合接続することを特徴とする同軸コネクタとしている。
請求項４の考案は、請求項３記載の同軸コネクタにおいて、前記固定端子の該嵌合部は、その末端を予め設置した回路板に電気連接する溶接部を形成することを特徴とする同軸コネクタとしている。
請求項５の考案は、請求項１記載の同軸コネクタにおいて、前記基台は、該弾性空間に隣接する側辺に複数の定位槽を形成し、また該可動端子の基部の側辺は下向きに折曲して該定位槽に差し込む差込部を形成することを特徴とする同軸コネクタとしている。
請求項６の考案は、請求項１記載の同軸コネクタにおいて、前記可動端子は、該基部の後側に予め電気連接する溶接部を設置することを特徴とする同軸コネクタとしている。
請求項７の考案は、請求項１記載の同軸コネクタにおいて、前記本体と該基台は、その外縁にシールド筐体で被覆し、且つそのシールド筐体の表面は突出して中空の円柱体を形成し、その円柱体の中空部には該本体に対応して収納する通孔を形成することを特徴とする同軸コネクタとしている。
請求項８の考案は、請求項７記載の同軸コネクタにおいて、前記シールド筐体は、その側辺に下向きに折曲した被覆部を形成し、その被覆部の間が該本体と該基台を設置する収納空間を形成することを特徴とする同軸コネクタとしている。
請求項９の考案は、請求項１記載の同軸コネクタにおいて、前記可動端子は、該接触部が力を受けて解除された後、該弾性腕の弾性復位力により、該可動端子の該接触部と該固定端子の該接触部が確実に接触することを特徴とする同軸コネクタとしている。
【考案の効果】
【０００６】
本考案は、本体内に固定端子を定位し、且つ本体の表面は突出して穿孔を具えた対応接続部を形成し、且つ穿孔には同軸端子を挿入する。また本体の一側の差込槽内には固定端子の差込部が形成され、差込部前側には接触部が伸び、本体底部の基台に結合し、可動端子を定位する。更に基台表面には弾性空間が形成され、可動端子の基部前側は弾性空間内に位置する接触部が伸び、及び接触部に隣接する側辺には下向きに弾性腕が伸びる。同軸端子が可動端子の接触部を下向きに押して位置移動させると、弾性腕の支持により、変形量が小さくなる作用を具え、同軸端子が離れると、弾性腕の弾性復位力によって可動端子の接触部が確実に復位し、固定端子の接触部と相互に接続し、弾性回復力効果を具えることを最も主要な特徴とする。
【考案を実施するための最良の形態】
【０００７】
図１、図２、図３に示すのは、本考案の立体外観図、立体分解図及び別の角度からの立体分解図である。図に示すとおり、本考案の同軸コネクタは、本体１、固定端子２、基台３及び可動端子４から構成される。
【０００８】
本体１の表面は突出して穿孔１１１を具えた対応接続部１１を設置する。その本体１の底部には穿孔１１１に連通する納置空間１２を形成し、本体１の一側には差込槽１３を設置し、本体１の左右両側は下向きに掛合部１４が延びる。
【０００９】
固定端子２は、本体１の差込槽１３内に挿着する。その固定端子２は差込部２１を具え、その差込部２１前側には接触部２２が伸び、接触部２２と離れた別側は下向きに連続折曲した嵌合部２３を具え、及び嵌合部２３末端には溶接部２４を形成する。
【００１０】
基台３表面には弾性空間３１が形成され、弾性空間３１側辺に隣接して複数の定位槽３２が形成され、別に基台３の左右両側には掛合部１４に定位する掛合槽３３を設置する。
【００１１】
可動端子４は基部４１を具え、その基部４１前側には接触部４２が伸び、及び接触部２４側辺に隣接して下向きに少なくとも一個以上の弾性腕４３が伸びる。別に基部４１側辺には下向きに複数の差込部４４及び溶接部４５が形成される。
【００１２】
更に上述の部品を組み立てる時、先ず固定端子２の差込部２１を本体１の差込槽１３内に挿着し、固定端子２の接触部２２を本体１の納置空間１２に合わせ、固定端子２の嵌合部２３は本体１の側辺に嵌合する。次に可動端子４を複数の差込部４４によって基台３の定位槽３２に対応する内部に挿着し、可動端子４の接触部４２及び弾性腕４３を基台３の弾性空間３１上方に合わせる。その後本体１を基台３上に組み立て本体１の下向きに伸びる掛合部１４を基台３に対応する掛合槽３３内に掛合して定位すると、固定端子２の接触部２２と可動端子４の接触部４２が相互に抵触し、本体１と基台３の組立が完成する。
【００１３】
本体１と基台３を組み立てた後、シールド筐体５で本体１と基台３外縁を覆う。このシールド筐体５表面は突出した中空の円柱体５１で、その円柱体５１中空部は通孔５２を形成し、またシールド筐体５側辺は下向きに折曲した被覆部５３があり、その被覆部５３の間には収納空間５４を形成する。故に本体１の対応接続部１１をシールド筐体５の円柱体５１の通孔に収納する。本体１及び基台３はシールド筐体５の収納空間５４内に納置し、被覆部５３で本体１及び基台３側辺を覆い、本考案全体の組立を完成する。
【００１４】
図２、図４、図５は、本考案の立体分解図、使用前の側面断面図及び使用後の側面断面図である。図に示すとおり、本考案を使用する時、先ず組立を完成した同軸コネクタと回路板６を電気連接する。それは主に固定端子２の溶接部２４及び可動端子４の溶接部４５を回路板６と溶接することで、且つ固定端子２の接触部２２と可動端子４の接触部４２を相互に接触させる。次に同軸端子７を本体１の対応接続部１１から穿孔１１１内へ挿入し、同軸端子７末端を可動端子４の接触部４２表面で押圧し、可動端子４の接触部４２を弾性空間３１に於いて下向きに弾性移動させ、固定端子２の接触部２２から離れると、端子をモニタリングしてオンの状態からオフの状態へ切り替える。
【００１５】
可動端子４の接触部４２が下向きに弾性移動する時、その側辺の弾性腕４３は基台３上で弾性押圧し、同軸端子７が穿孔１１１から離れると、弾性腕４３の弾性回復力により、接触部４２を確実に上向きに回復させ、固定端子２の接触部２２と相互に接触する。
【００１６】
本考案の同軸コネクタは下述のように公知の欠点を解決する。
本考案の可動端子４の接触部４２側辺は下向きに折曲して少なくとも一個以上の弾性腕４２を具え、同軸端子７が接触部４２を下向きに押すと、弾性腕４３によって基台３上で支え、同軸端子７が離れると、弾性腕４３の弾性復位力によって接触部４２を確実に復位させ、固定端子２の接触部２２と相互に接触する。弾性腕４３の構造設計によって可動端子４の接触部４２全体の弾性変形力が向上し、有効に接触部４２を復位させ、変形量の減少、弾性回復力という効果を具える。
【００１７】
故に本考案の特徴は、可動端子４の接触部４２側辺に対して下向きに少なくとも一個以上の弾性腕４３を折曲することを主な保護重点とする。
【図面の簡単な説明】
【００１８】
【図１】本考案の立体外観図である。
【図２】本考案の立体分解図である。
【図３】本考案の別角度からの立体分解図である。
【図４】本考案の使用前の側面断面図である。
【図５】本考案の使用後の側面断面図である。
【図６】公知の同軸コネクタの側面断面図である。
【符号の説明】
【００１９】
１        本体
１１        対応接続部
１１１        穿孔
１２        納置空間
１３        差込槽
１４        掛合部
２        固定端子
２１        差込部
２２        接触部
２３        嵌合部
２４        溶接部
３        基台
３１        弾性空間
３２        定位槽
３３        掛合槽
４        可動端子
４１        基部
４２        接触部
４３        弾性腕
４４        差込部
４５        溶接部
５        シールド筐体
５１        円柱体
５２        通孔
５３        被覆部
５４        収納空間
６        回路板
７        同軸端子
Ａ        台座体
Ａ１      穿孔
Ｂ        第一端子
Ｂ１      弾性腕
Ｃ        第二端子
Ｃ１      接触腕
Ｄ        同軸端子
【図１】
0003142192.tif 000003
【図２】
0003142192.tif 000004
【図３】
0003142192.tif 000005
【図４】
0003142192.tif 000006
【図５】
0003142192.tif 000007
【図６】
0003142192.tif 000008